(57)【要約】【課題】電子機器のケース内外気圧を同一にするためにケースに形成される通気孔を内圧調整シートにより閉止する場合に、コスト増、ケースの大型化、シート脱落時の修理手数の増大等を招くことなく、通気性を維持した防水構造を確保することができる内圧調整防水構造を提供する。【解決手段】通気孔３を有した電子機器のケース２と、通気孔を閉止した状態で該通気孔周縁のケース面に対して環状接着剤層により接着される通気性と防水性を併有した内圧調整シート１０と、該内圧調整シートの表面に積層された状態で該ケース面に接着される非通気性と防水性を有した保護カバー１５と、を備え、保護カバー面には、通気孔と対面しない位置であって、内圧調整シート面と対面する位置に貫通孔１２が少なくとも一つ形成されており、該貫通孔と該内圧調整シートの肉厚内部と通気孔との間に通気経路Ｐが形成されている。【選択図】図１
2009010234.tif 000002
【特許請求の範囲】
【請求項１】
通気孔を有した電子機器のケースと、該通気孔を閉止した状態で該通気孔周縁のケース面に対して環状接着剤層により接着される通気性と防水性を有した内圧調整シートと、該内圧調整シートの表面に積層された状態で該ケース面に接着される非通気性と防水性を有した保護カバーと、を備え、
前記保護カバー面には、前記通気孔と対面しない位置であって、前記内圧調整シート面と対面する位置に貫通孔が少なくとも一つ形成されており、該貫通孔と該内圧調整シートの肉厚内部と前記通気孔との間に通気経路が形成されていることを特徴とする内圧調整防水構造。
【請求項２】
前記通気孔の外周縁のケース面には前記内圧調整シートを嵌合させる第１の凹所が形成され、該第１の凹所の外周縁には前記保護カバーを嵌合させる第２の凹所が形成され、該第２の凹所内に嵌合した前記保護カバーが該第２の凹所から突出しない構造となっていることを特徴とする請求項１に記載の内圧調整防水構造。
【請求項３】
前記保護カバーは、可撓性を有した樹脂シート或いは金属シートであることを特徴とする請求項１又は２に記載の内圧調整防水構造。
【請求項４】
前記保護カバーは、前記通気孔周辺の前記ケース面の非平坦面状の面形状に整合した形状に予め成形されていることを特徴とする請求項１乃至３の何れか一項に記載の内圧調整防水構造。
【請求項５】
前記内圧調整シートは、前記ケースの外側面、又は内側面に接着されることを特徴とする請求項１乃至４の何れか一項に記載の内圧調整防水構造。
【請求項６】
請求項１乃至５の何れか一項に記載の内圧調整防水構造を備えた電子機器は、無線機、携帯電話機、音響機器の何れか一つであることを特徴とする内圧調整防水構造。
【発明の詳細な説明】
【技術分野】
【０００１】
本発明はハンディトランシーバ等の携帯用無線機、携帯電話機、音響機器の内外気圧差をなくするために筐体に形成される通気孔を塞ぐための内圧調整シートの取付け構造の改良に関するものである。
【背景技術】
【０００２】
ハンディトランシーバ等の携帯用無線機、携帯電話機、音響機器のように屋外の種々な環境下において使用される電子機器は、外気圧の変化に対応して筐体内外の気圧差を解消するために筐体の適所に通気孔を形成している。スピーカやマイクのように振動板を有したユニットを備えた機器において、筐体内外の気圧差が大きくなると、振動板が破損したり、音質が悪化する虞があるからである。一方、通気孔から雨水が筐体内部に進入することを防止する必要から、通気性と防水性（非通水性）を併有した内圧調整シートにより通気孔を閉止することが一般に行われている（特開２００２−１６３７１）。
なお、内圧調整シートは、所定圧力に達するまでは液体を通過させない一方で、気体は通過させる性質を有し、機器筐体の外気圧と内気圧を同一にするための多孔質性シートである。
【０００３】
図４（ａ）及び（ｂ）はハンディトランシーバのケースに設けた通気孔を閉止するための内圧調整用シートの設置状態を示す図である。（ａ）はトランシーバ本体１００のバッテリー装着部１０１に通気孔１０２を設けてケース内外を連通させた状態を示している。内圧調整シート１１０は、通気孔１０２に相当する中心部１１２を除いた周縁部に両面テープ等の環状接着剤層１１１を形成した構成を有し、環状接着剤層１１１を通気孔１０２周縁のケース面に接着することにより環状接着剤層の中心部１１２に位置するシート部分によって通気孔を塞ぐようにしている。内圧調整シート１１０により通気孔１０２を閉止した状態でバッテリー１０５を装着部１０１に装着することにより内圧調整シート１１０はバッテリーの一面によって隠蔽される。内圧調整シート１１０をケース外面に貼着して常時露出させると雨水や汚れやオイル等により汚損したり、操作者の手によって剥離、破損する虞があるが、バッテリー１０５により内圧調整シート１１０を常時隠蔽することにより外力等から保護することができる。
しかしバッテリー１０５を保護手段として利用する場合は、バッテリーをトランシーバ本体１００に取り付けていない時に内圧調整シート１１０が破損し易くなる。また、内圧調整シート１１０を介して通気孔の外側がバッテリー面により塞がれるために通気性が悪化し易い。
【０００４】
図４（ｂ）ではトランシーバ本体１００の背面側の外面適所に設けた通気孔１０２に内圧調整シート１１０を貼付した状態で別部品としての保護カバー（リヤパネル）１０６を取り付けることによりシート１１０を保護する構成例を示している。
しかし、内圧調整シート１１０が破損しないように専用の保護部材１０６を使用する場合には、保護部材を成形するための金型代だけコストアップするばかりでなく、機器形状が大型化するという問題があった。
上記の不具合は、トランシーバのみならず、携帯電話、携帯音響機器においても同様に生じている問題である。
【０００５】
次に、図５（ａ）（ｂ）及び（ｃ）はマイクに設ける通気孔の防水構造を示す分解斜視図、要部断面図、及びホルダの構成を示す斜視図である。
このマイク１２０は、マイクユニット１２２を内面に支持した一方のケース片１２１に対して他方のケース片１２５を組み付けて内部を閉止している。ケース片１２５には通気孔１２６が形成されており、この通気孔１２６を内側から内圧調整シート１１０によって閉止している。マイクの場合は、保護手段として利用可能なバッテリー、保護部材等の別部材を使用する余地がないために、内圧調整シート１１０をケース片１２５の内面側から貼る必要があった。この場合、通気孔１２６の孔長が短い（浅い）と、外面側から内圧調整シートに種々の外力が作用し易くなって破損し易くなるため、図５（ｂ）に示すように通気孔内のシートに外側から触れにくいように通気孔を深くする（ケース内壁に大きく突出したボス部１２７を設ける）必要があった。更に、図５（ｂ）（ｃ）に示すようにケース内面に貼った内圧調整シート１１０が剥離して内部に脱落しない様に、金属や樹脂材料から成るホルダー１２８を通気孔１２６の内側開口内に嵌合させて内圧調整シートを押さえていた。具体的には、マイクの落下による衝撃、振動や、温度変化、経時劣化の影響により、内圧調整シートが剥離してケース内部に脱落するのを防ぐために、シートを内側から押さえるホルダー１２８が必要である。
ホルダー１２８はリング部１２８ａの外周に外径方向へ突出する複数の突起１２８ｂを設けた構成を有しており、突起１２８ｂはホルダーの厚み方向へ湾曲したバネ部材となっている。ホルダーは、突起１２８ｂのバネ性を利用して通気孔の内側開口内壁に弾性的に圧着固定される。
【０００６】
しかし、ケース内面に内圧調整シート１１０を貼着した場合、ケース外側からの外力によってシートが破損されることを防止するために、通気孔１２６を深くしてシートと通気孔の外側開口との間の距離を確保する必要がある。その為にはボス部１２７を大きく突出させる必要があるが、ボス部がケース内の収納部品のレイアウトに影響を与えたり、小型化、薄型化に対する障害となっている。また、ケース内面に内圧調整シートを貼り付ける構造では、万が一シートが破損した場合にマイクを分解しないとシート貼換えができないという問題があり、修理のための費用、期間、手数がかかるという問題があった。更に、ホルダー１２８を併用する場合にはホルダーを製造するためのコスト増、組付け手数の増大といった問題も発生する。
【特許文献１】特開２００２−１６３７１公報
【発明の開示】
【発明が解決しようとする課題】
【０００７】
以上のように従来の電子機器やその付属装置において、ケースの内圧を外気圧と同等に保つためにケースに通気孔を設ける場合には、通気性を維持しつつ防水性を確保するために内圧調整シートにより閉止する必要があったが、内圧調整シートを外面に設ける場合には格別の保護部材により内圧調整シートを保護する必要があり、コストアップ、機器の大型化の原因となっていた。一方、ケース内面に内圧調整シートを設ける場合には、通気孔の深さを大きく確保するためにケース内面にボス部を大きく突出させる必要が生じ、機器の小型化、薄型化に対する障害となっていた。更に、シートの脱落時にはケースを分解した上での修理が必要とされるため、コスト、修理期間等の点で不利となっている。また、シートを押さえるための専用ホルダーを使用する場合にはコスト増、組付け手数の増大という問題が更に発生している。
【０００８】
本発明は上記に鑑みてなされたものであり、電子機器のケース内外気圧差を解消するためにケースに形成される通気孔を内圧調整シートにより閉止する場合に、コスト増、ケースの大型化、シート脱落時の修理手数の増大等を招くことなく、通気性を維持した防水構造を確保することができる内圧調整防水構造を提供することを目的としている。
【課題を解決するための手段】
【０００９】
上記目的を達成するため、請求項１の発明に係る内圧調整防水構造は、通気孔を有した電子機器のケースと、該通気孔を閉止した状態で該通気孔周縁のケース面に対して環状接着剤層により接着される通気性と防水性を併有した内圧調整シートと、該内圧調整シートの表面に積層された状態で該ケース面に接着される非通気性と防水性を有した保護カバーと、を備え、前記保護カバー面には、前記通気孔と対面しない位置であって、前記内圧調整シート面と対面する位置に貫通孔が少なくとも一つ形成されており、該貫通孔と該内圧調整シートの肉厚内部と前記通気孔との間に通気経路が形成されていることを特徴とする。
保護カバーに設けた貫通孔内部は内圧調整シート面で終端しているが、内圧調整シートの肉厚内部を介して通気孔と連通している。一方、貫通孔の内側開口部は通気孔を回避した位置にあるため、万が一貫通孔内に位置する内圧調整シート部分が破損したとしても破損部が通気孔と直結することがなく、内圧調整シート内の通気経路を経て防水しつつ通気性を確保することが可能となる。
【００１０】
請求項２の発明は、請求項１において、前記ケース面に設けた通気孔の外周縁には前記内圧調整シートを嵌合させる第１の凹所が形成され、該第１の凹所の外周縁には前記保護カバーを嵌合させる第２の凹所が形成され、該第２の凹所内に嵌合した前記保護カバーが該第２の凹所から突出しない構造となっていることを特徴とする。
保護カバーがケース外面から突出することがなくなるために保護カバーが剥離し難くなり、外観も維持できる。
【００１１】
請求項３の発明は、請求項１又は２において、前記保護カバーは、可撓性を有した樹脂シート或いは金属シートであることを特徴とする。
請求項４の発明は、請求項１乃至３の何れか一項において、前記保護カバーは、前記通気孔周辺の前記ケース面の非平坦面状の面形状に整合した形状に予め成形されていることを特徴とする。
請求項５の発明は、請求項１乃至４の何れか一項において、前記内圧調整シートは、前記ケースの外側面、又は内側面に接着されることを特徴とする。
請求項６の発明に係る電子機器は、前記電子機器は、無線機、携帯電話機、音響機器の何れか一つであることを特徴とする。
【発明の効果】
【００１２】
本発明によれば、内部にスピーカユニットやマイクユニットを備えた電子機器のケース内外気圧を同一にするためにケースに形成される通気孔を内圧調整シートにより閉止する場合に、コスト増、ケースの大型化、シート脱落時の修理手数の増大等を招くことなく、通気性を維持した防水構造を確保することができる。
本発明によれば、内圧調整シートの破損を防止するための保護部材等の専用の別部材が不要となるため、部品点数を減らすことによるコストダウンとスリム化を図ることができる。
【００１３】
また、従来、ケース内面に内圧調整シートを貼る場合には、ケース内面にボス部を突出させることにより通気孔を深く形成して、外側からの外力によるシートの破損を防止する必要があったが、本発明ではケース外面にシートを貼ることによりケース内面への突出部がなくなり、機器全体の小型化が可能になる。また、従来ケース内面側に内圧調整シートを貼っていた場合に必要とされてきたシートの脱落防止用ホルダーも不要となり、コストダウン、及び機器の小型化が可能となった。更に、ケース外面に貼着された内圧調整シートが破損したとしても機器を分解しなくても内圧調整シートの交換が容易であり、メンテナンスを簡素化できる。
【発明を実施するための最良の形態】
【００１４】
以下、本発明を図面に示した実施の形態により詳細に説明する。
図１（ａ）及び（ｂ）は本発明の内圧調整防水構造（内圧調整シートの取付け構造）をマイクケースに取り付けた場合の構成例を示す要部外観斜視図、及び要部断面図である。
電子機器の一例としてのマイクロフォン１のケース２には通気孔３が形成されており、この通気孔３は通気孔周縁のケース外面に対して環状接着剤層１０ａにより接着される通気性と防水性を併有した内圧調整シート１０により閉止される。更に、内圧調整シート１０の表面を覆った状態で非通気性と防水性を有した保護カバーとしての保護シート１５がケース外面に接着される。保護シート１５の底面には接着剤層１５ａが形成され、接着剤層１５ａによってケース外面に接着固定される。接着剤層１５ａの中心部には非接着面１５ｂを有する。
【００１５】
保護シート（保護カバー）１５の非接着面１５ｂの適所には、通気孔３と対面しない位置であって、内圧調整シート１０の表面と対面する位置に貫通孔１６が少なくとも一つ形成されており、貫通孔１６と内圧調整シートの肉厚内部と通気孔３との間に通気経路Ｐが形成されている。
内圧調整シート１０や保護シート１５がケース外面から突出しないように、ケース面に設けた通気孔３の周縁のケース面には内圧調整シート１０を嵌合させる第１の凹所４が形成され、第１の凹所４の周縁のケース面には保護シート１５を嵌合させる第２の凹所５が形成されている。各凹所４，５の深さは、夫々防水粘着シート（接着剤層）１０ａ、１５ａを含めた各シート１０，１５を包含する（突出しない）ように設定する。
【００１６】
この例では、図１（ａ）（ｂ）に示すように、内圧調整シート１０の片面には中心に穴が開いた環状の防水性粘着シートとしての両面テープ１０ａが貼ってあり、両面テープ１０ａをマイクケース外面の通気孔３周縁に貼着する。更に、内圧調整シート１０が剥がれることによる防水機能の喪失を防止するために、内圧調整シートよりも大面積の保護シート１５を重ねて貼着する。保護シート１５は、樹脂シート、或いは金属シート等からなり、第２の凹所５の内底面との間を防水粘着シートとしての両面テープ１５ａにより接着される。
【００１７】
保護シート（保護カバー）１５に形成された貫通孔１６の位置は、通気孔３を回避した通気孔３の外周側位置であって、通気孔３内に内圧調整シート１０の外側面が露出する位置（この例では、両面テープ１０ａと対面する位置）に設定されている。貫通孔１６と通気孔３との間は、内圧調整シート１０の内部に形成される通気経路Ｐによって連通されるため、ケース内外の気圧差をなくすることができる。
また、保護シート１５に形成した貫通孔１６は通気孔３を回避した外径側位置にあるため、貫通孔１６内に露出した内圧調整シート部分１０Ａが破損したとしても、この破損部分と通気孔３とが直結することはなく、図１（ｂ）に示すように内圧調整シートの肉厚内部に形成される通気経路Ｐを経て防水しつつケース内外を通気させているため、通気、防水の機能を維持することができる。
【００１８】
なお、上記実施形態では本発明の内圧調整防水構造（内圧調整シートの取付け構造）をマイクに適用した場合を示したが、本発明は通気孔を備えた全ての電子機器に適用することができる。従って、例えば、携帯無線機、携帯電話機、携帯音響機器等のケースに適用することができる。
このように本発明の内圧調整防水構造によれば、内圧調整シートの破損を防止するための保護部材等の専用の別部材が不要となるため、部品点数を減らすことによるコストダウンとスリム化を図ることができる。また、バッテリーを保護部材として兼用することによる不具合も解消できる。
【００１９】
また、従来のマイクにあっては、スペース上の制限から内圧調整シートを保護する部品を付加する余地がなかったために該シートをケース内面に貼っていたが、本発明によれば内圧調整シートをケース外面に貼りつつ保護シートによって保護することが可能となった。特に、ケース内面に内圧調整シートを貼る場合には、ケース内面にボス部を突出させることにより通気孔を深く形成して、外側からの外力によるシートの破損を防止する必要があったが、ケース外面にシートを貼ることによりケース内面への突出部がなくなり、マイク全体の小型化が可能になる。また、従来ケース内面側に内圧調整シートを貼っていた場合に必要とされてきたシートの脱落防止用ホルダーも不要となり、コストダウン、及びマイクの小型化が可能となった。更に、ケース外面に貼着された内圧調整シートが破損したとしても機器を分解しなくても内圧調整シートの交換が容易であり、メンテナンスを簡素化できる。
なお、本発明においては内圧調整シート１０及び保護シート１５をケース外面に設けたが、ケース内面に設けても良い。この場合、通気孔内に位置する内圧調整シート１０の一部が破損したとしても、更に内側に密着した保護シート１５が破損しない限り、防水性と通気性を維持し続けることができる。
【００２０】
次に、図２は本発明の他の実施形態に係る内圧調整防水構造（保護シート）の説明図であり、この実施形態では、保護シート（保護カバー）１５をアルミ等の金属シートにより構成することにより保護シートの強度を高めた点が特徴的である。或いは、樹脂シートにアルミ箔等の金属箔を積層した保護シートの構成であっても良い。図１、及び図２の保護シートは弾性変形が容易な材質から構成することによりケースの表面形状に追従して密着することができる。この実施形態に係る保護シート１５は可撓性を有しており、弾性変形が容易である。
【００２１】
次に、図３（ａ）及び（ｂ）は本発明の変形例であり、この保護カバー１５は比較的硬質の樹脂や金属から成り、射出成形により製造されている。即ち、図３（ａ）の保護カバー１５は、通気孔３周辺のケース面が曲面、凸面、その他の非平坦面状である場合に、その面形状に整合した形状に予め成形されているため、非平坦面状の外面形状に合わせた組付けが可能となり、デザイン性を高めることが可能となる。
或いは、図３（ｂ）のように外観装飾のために保護カバー１５の外面形状だけを通気孔周辺形状とは異なった任意の形状に成形してもよい。
この実施形態に係る保護カバー１５は、無線機、携帯電話機、音響機器等、任意の電子機器に設けた通気孔に適用することができる。
【図面の簡単な説明】
【００２２】
【図１】（ａ）及び（ｂ）は本発明の内圧調整防水構造をマイクケースに取り付けた場合の構成例を示す要部外観斜視図、及び要部断面図である。
【図２】本発明の他の実施形態に係る内圧調整防水構造（保護シート）の説明図である。
【図３】（ａ）及び（ｂ）は本発明の変形例の説明図である。
【図４】（ａ）及び（ｂ）はハンディトランシーバのケースに設けた通気孔を閉止するための内圧調整用シートの設置状態を示す図である。
【図５】（ａ）（ｂ）及び（ｃ）はマイクに設ける通気孔の防水構造を示す分解斜視図、要部断面図、及びホルダーの構成を示す斜視図である。
【符号の説明】
【００２３】
１…マイク、２…ケース、３…通気孔、４…凹所、５…凹所、１０…内圧調整シート、１０Ａ…内圧調整シート部分、１０ａ…環状接着剤層、１０ａ…両面テープ、１２…貫通孔、１５…保護カバー（保護シート）、１５ａ…接着剤層、１５ｂ…非接着面、１６…貫通孔。
【図１】
2009010234.tif 000003
【図２】
2009010234.tif 000004
【図３】
2009010234.tif 000005
【図４】
2009010234.tif 000006
【図５】
2009010234.tif 000007